(57)【要約】【課題】より多量の美容液をシール巻回体４に含浸させて、機能と品質の向上が図られたフェイスパックシート１を提供する。【解決手段】パックシート包装体は、フェイスパックシート１を渦巻状に巻回してなるスティック状のシート巻回体４と、該シート巻回体４に含浸された美容液と、該シート巻回体４を密封包装する包装袋３とを備える。そして、美容液が含浸されたシート巻回体４を、有底容器状のトレー２内に収容した状態で、該トレー２と共に、包装袋３内に密封包装する。【選択図】図１
2017052532.tif 000002
【特許請求の範囲】
【請求項１】
フェイスパックシート（１）を渦巻状に巻回してなるスティック状のシート巻回体（４）と、該シート巻回体（４）に含浸された美容液と、該シート巻回体（４）を密封包装する包装袋（３）とを備えるパックシート包装体であって、
美容液が含浸されたシート巻回体（４）が、有底容器状のトレー（２）内に収容された状態で、該トレー（２）と共に、包装袋（３）内に密封包装されていることを特徴とするパックシート包装体。
【請求項２】
前記トレー（２）は、長方形状の底壁（１６）と、底壁（１６）の四周縁から上向きに延設される周囲壁（１７）とを備え、上開口を有する横長の四角箱状に形成されており、
シート巻回体（４）が、周囲壁（１７）で囲まれるトレー（２）の収容室（１８）内に収容されている請求項１に記載のパックシート包装体。
【請求項３】
収容室（１８）の高さ寸法（Ｈ）が、シート巻回体（４）の直径寸法（Ｄ）の３０％以上、１２０％以下に設定されている請求項２に記載のパックシート包装体。
【請求項４】
前記トレー（２）の断面形状が、向かい合う周囲壁（１７）どうしの対向間隔寸法が上方に行くに従って漸次大きくなる上拡がり状に形成されている、請求項２又は３に記載のパックシート包装体。
【請求項５】
フェイスパックシート（１）が、展開状態で扁平円形状に形成されており、
シート巻回体（４）が、扁平円形状のフェイスパックシート（１）を折り畳むことで得られた重畳部分を巻き始端にして、スティック状に巻回してなるものである請求項１から４のいずれかひとつに記載のパックシート包装体。
【請求項６】
原反ロール（３０）から連続して供給されるシート素材（３１）からフェイスパックシート（１）を打ち抜き形成する打ち抜き工程と、
得られたフェイスパックシート（１）を、折り畳んで重畳部分を形成する折り畳み工程と、
折り畳み工程で得られた重畳部分を巻き始端にして、フェイスパックシート（１）を渦巻状に巻回してスティック状のシート巻回体（４）に成形する成形工程と、
シート巻回体（４）を、トレー（２）の収容室（１８）に収容する収容工程と、
トレー（２）の収容室（１８）に収容されたシート巻回体（４）に対して規定量の美容液を供給する液供給工程と、
シート巻回体（４）が収容されたトレー（２）を、包装袋（３）内に密封包装する包装工程と、
を含むことを特徴とするパックシート包装体の製造方法。
【請求項７】
成形工程に先行して、フェイスパックシート（１）に所定量の美容液を含浸させる液含浸工程を行う請求項６に記載のパックシート包装体の製造方法。
【発明の詳細な説明】
【技術分野】
【０００１】
本発明は、フェイスパックシートが個包装されているパックシート包装体とその製造方法に関する。本発明に係るフェイスパックシートは、渦巻状に巻回してなるスティック状のシート巻回体に成形されており、美容液を含浸させた状態で細筒状の包装袋内に密封包装されている。
【背景技術】
【０００２】
フェイスパックシートを渦巻状に巻回してスティック状のシート巻回体とし、これを細筒状の包装袋内に密封包装することは、例えば特許文献１に公知である。かかる特許文献１に記載の発明では、不織布を打ち抜いてなる二つ折り状のフェイスパックシート（フェイスマスクシート）をさらに短手方向に折り畳んだのち、折り畳まれたフェイスパックシートを長手方向のいずれか一方端を巻き始端にして渦巻状に巻回してスティック状のシート巻回体を得ている。また、特許文献１に記載の発明では、上記のように得られたシート巻回体に対してノズルから美容液を噴射して、該シート巻回体を構成するフェイスパックシートに美容液を含浸させたのち、これをアルミラミネートフィルムで三方シール包装を行い、巻回体を細筒状の包装袋内に密封包装して、携帯用フェイスマスクパックを得ている。このように、スティック状のシート巻回体を細筒状の包装袋内に密封包装していると、コンパクトで嵩張らず、携帯性に優れたパックシート包装体を得ることができる。
【先行技術文献】
【特許文献】
【０００３】
【特許文献１】特開平１０−８１６１２号公報
【発明の概要】
【発明が解決しようとする課題】
【０００４】
特許文献１のパックシート包装体の問題は、シール包装時に美容液がシール部分に付着してシール不良が生じるおそれがあるため、より多くの美容液をフェイスパックシートに付与することが困難なことにある。つまり、シート巻回体に美容液を含浸させたのちに、三方シール包装により包装袋内に密封包装しているため、シール包装時にシート巻回体から漏れ出た美容液がアルミラミネートフィルムのシール部分に付着してシール不良を招くおそれがある。このため、特許文献１のパックシート包装体では、シート巻回体の液保持能力を超えて、より多くの美容液をシート巻回体に付与することはできず、フェイスパックシートの機能や品質の点で難がある。何よりもフェイスパックシートに含浸されている美容液の液量が少ないと、使用者は十分な使用感や満足感が得られない。
【０００５】
加えて、フェイスパックシートに含浸される美容液は殆どの場合、化粧水とは異なりその粘度が高いため、特許文献１のパックシート包装体では、美容液が含浸されたシート巻回体が包装袋に張り付き易く、包装袋からのフェイスパックシートの取り出しが容易でない。つまり、従来のパックシート包装体では、包装袋の長手方向の端部を切り取り、或いは包装袋を長手方向に引裂くなどにより、包装袋を開封したのちに、包装袋からシート巻回体を取り出す際に、美容液が含浸されたシート巻回体が包装袋の内面にベッタリと張り付き易く、包装袋内からシート巻回体、すなわちフェイスパックシートを簡便に取り出すことができず、実用利便性に難がある。
【０００６】
上記のようなシール不良の問題や、取り出し時の張り付きの問題は、例えば、シート巻回体に比べて、包装袋の外形寸法を格段に大きくすることである程度は解決できる。しかしこの場合には、パックシート包装体の全体寸法が大きくなることが避けられず、パックシート包装体のコンパクト化、携帯性の向上という本来要請に反する結果を招く。また、このように包装袋の外形寸法を大きくすると、携帯時に包装袋越しにシート巻回体が圧迫されるなどの要因によってシート巻回体から美容液が分離したときに、包装袋内における分離美容液とシート巻回体との接触機会が減少することが避けられず、分離美容液がシート巻回体に再含浸されずに、フェイスパックシートにおける美容液の含浸量が不足するおそれがある。尤も、シート巻回体からの美容液の分離を見越して、より多量の美容液を供給することも考えられるが、その場合には、個々のパックシート包装体における美容液の供給量が増えるため、コストアップを招来する。
【０００７】
さらに、従来のパックシート包装体では、シート巻回体に美容液が含浸されるまでの含浸処理が必須である。つまり、シート巻回体に対する美容液の供給直後に密封包装処理を行うと、未含浸の美容液がシール部分に付着することに由来する溶着不良が生じるため、従来のパックシート包装体では、美容液の供給からシート巻回体に美容液が含浸されるまでの数秒〜数十秒の待機時間が必須であった。かかる待機時間は、パックシート包装体の生産性の向上を図るうえで大きな妨げとなる。
【０００８】
本発明は以上のような従来のパックシート包装体が抱える問題点を解決するためになされたものであり、シール不良の発生を抑えながら、より多量の美容液をフェイスパックシートに付与することができる、新規なパックシート包装体を得ることを目的とする。
また本発明の他の目的は、美容液をシート巻回体自体に保持させると共に、美容液が含浸されたシート巻回体を、開封した包装袋からより簡便に取り出すことができる、実用利便性に優れたパックシート包装体を提供することにある。
本発明の他の目的は、スティック状のシート巻回体の成形から、美容液の供給および含浸を経て、シート巻回体の個包装に至る一連の処理を、美容液の無駄がなく効率よく行うことができ、従って、パックシート包装体をより低コスト短時間で製造できる、パックシート包装体の製造方法を提供することにある。
【課題を解決するための手段】
【０００９】
本発明のパックシート包装体は、フェイスパックシート１を渦巻状に巻回してなるスティック状のシート巻回体４と、該シート巻回体４に含浸された美容液と、該シート巻回体４を密封包装する包装袋３とを備える。そして、美容液が含浸されたシート巻回体４が、有底容器状のトレー２内に収容された状態で、該トレー２と共に、包装袋３内に密封包装されていることを特徴とする。
【００１０】
トレー２は、長方形状の底壁１６と、底壁１６の四周縁から上向きに延設される周囲壁１７とで上開口を有する横長の四角箱状に形成する。シート巻回体４を、周囲壁１７で囲まれるトレー２の収容室１８内に収容する。
【００１１】
収容室１８の高さ寸法Ｈは、シート巻回体４の直径寸法Ｄの３０％以上、１２０％以下に設定することが好ましい。
【００１２】
トレー２は、その断面形状が、向かい合う周囲壁１７どうしの対向間隔寸法が上方に行くに従って漸次大きくなる上拡がり状に形成することが好ましい。
【００１３】
フェイスパックシート１は、展開状態で扁平円形状に形成する。シート巻回体４は、扁平円形状のフェイスパックシート１を折り畳むことで得られた重畳部分を巻き始端にして、スティック状に巻回してなるものとする。なお、ここで言う「扁平円形状」とは、略円形状、楕円形状、あるいは複数の曲率を備える楕円形状などを含む概念である。また、一部に直線を含んでいてもよい。
【００１４】
また、本発明のパックシート包装体の製造方法は、原反ロール３０から連続して供給されるシート素材３１からフェイスパックシート１を打ち抜き形成する打ち抜き工程Ｐ１と、得られたフェイスパックシート１を、折り畳んで重畳部分を形成する折り畳み工程Ｐ２と、折り畳み工程Ｐ２で得られた重畳部分を巻き始端にして、フェイスパックシート１を渦巻状に巻回してスティック状のシート巻回体４に成形する成形工程Ｐ４と、シート巻回体４をトレー２の収容室１８に収容する収容工程Ｐ５と、トレー２の収容室１８に収容されたシート巻回体４に対して規定量の美容液を供給する液供給工程Ｐ６と、シート巻回体４が収容されたトレー２を、包装袋３内に密封包装する包装工程Ｐ７とを含むことを特徴とする。
【００１５】
成形工程Ｐ４に先行して、フェイスパックシート１に所定量の美容液を含浸させる液含浸工程Ｐ３を行う。
【発明の効果】
【００１６】
本発明のパックシート包装体においては、美容液が含浸されたシート巻回体４をトレー２内に収容した状態で、該トレー２と共に包装袋３内に密封包装した。このようにシート巻回体４をトレー２内に収容して包装袋３内に密封包装していると、シート巻回体４から漏れ出た美容液が包装袋３のシール部分に付着することに由来するシール不良の問題を一掃できるので、より多量の美容液をシール巻回体４に含浸させることができる。つまり、本発明によれば、シール処理時にシート巻回体４から美容液が漏れ出た場合でも、漏れ出た美容液はトレー２で受け止められるため、シール不良の問題が生じることは無く、シート巻回体４の含浸能力や液保持能力を超えて、より多量の美容液をシート巻回体４であるフェイスパックシート１に付与することができる。以上より、本発明によれば、より多量の美容液が含浸され、機能と品質の向上が図られたフェイスパックシート１を提供できる。より多量の美容液が含浸されており、使用感と満足感に富んだフェイスパックシート１を提供できる利点もある。
【００１７】
また、本発明のパックシート包装体では、シート巻回体４がトレー２内に収容された状態で包装袋３内に密封包装するため、シート巻回体４の巻き終端が、包装袋のシール部分に噛み込まれ難く、シール不良の発生を抑えて、信頼性に優れたパックシート包装体を得ることができる。つまり、従来のパックシート包装体では、シート巻回体４の巻き終端が、巻回体４から浮き離れていると、シート巻回体４の姿勢状態によっては、巻き終端がシール部分に噛み込まれて、シール不良を招くおそれがあった。これに対して、本発明では、トレー２内にシート巻回体４が収容された状態で包装処理を行うため、巻き始端がシール部分に噛み込まれ難く、シール不良の発生を抑えて、パックシート包装体の信頼性向上に貢献できる。
【００１８】
また、本発明のパックシート包装体によれば、シート巻回体４が包装袋３の内面に接触する機会を該トレー２により少なくできるので、包装袋３を開封してシート巻回体４を取り出す際に、美容液が含浸されたシート巻回体４が包装袋３の内面に張り付くことを効果的に防いで、より簡便にかつ巻回形状を保持したまま包装袋３からシート巻回体４を取り出すことが可能となる。また、包装袋３の開封後は、トレー２の端部を指で引き出すだけで、トレー２ごとシート巻回体４を取り出すことができるので、この点でもより簡便に包装袋３からシート巻回体４を取り出すことができる。また、万一包装袋３からトレー２を取り出した後、何らかの理由により直ぐに使用できず一時的に保管したい場合には、トレー２ごとシート巻回体４を包装袋３内に一時的に戻すことも容易に行える。以上より、本発明によれば、美容液が含浸されたシート巻回体４を、簡便に包装袋３から取り出すことができ、実用利便性に優れたパックシート包装体を得ることができる。
【００１９】
美容液が含浸されたシート巻回体４が、トレー２に収容した状態で包装袋３内に包装されていると、コンパクト化を目的として包装袋３の外形寸法を小さくした場合でも、包装袋３の内面に美容液が含浸されたシート巻回体４が張り付くことを、トレー２により確実に抑えることができる。以上より、本発明によれば、嵩張らずコンパクトであり優れた携帯性を備えるものでありながら、シート巻回体４の取り出し性に優れたパックシート包装体を得ることができる。
【００２０】
また、例えば携帯時に包装袋３越しにシート巻回体４が圧迫され、美容液がシート巻回体４から搾り出されて分離された場合でも、分離された美容液はトレー２で受け止められ、トレー２内に留められる。また、トレー２内で分離した美容液とシート巻回体４とを確実に接触させることができるため、美容液をシート巻回体４に再び含浸させ、保持させることができる。以上より、本発明によれば、無駄に多量の美容液をパックシート包装体に供給する必要がなくなり、製造コストの上昇を効果的に抑えることができる。
【００２１】
また、本発明によれば、トレー２内にシート巻回体４を収容した状態で、美容液の含浸処理を進めることができる。これにより、従来のパックシート包装体では不可避であった、含浸処理のための待機時間を省いて、迅速に包装処理を進めることができるため、パックシート包装体の生産性の向上を図ることができる。また、トレー２で美容液が受け止められる状態としながら、シート巻回体４に対する美容液の供給作業を進めることができるので、美容液が周囲に飛散、無駄に或いは流出することを防ぐこともできる。
【００２２】
また、本発明に係るパックシート包装体によれば、包装袋３を開封して取り出したシート巻回体４を、トレー２ごと化粧台等の机上に置くことができるので、シート巻回体４を机上に安定的に載置でき、シート巻回体４から漏れ出た美容液により、化粧台等が不用意に汚損されることを防止できる。包装袋３を介して、机上にトレー２ごとシート巻回体４を載置しても良く、この場合にも机上にシート巻回体４を安定的に載置できる。また、トレー２内からシート巻回体４を取り出したときに、シート巻回体４から分離してトレー２内に残った美容液を手の甲などに塗布してスキンケアを行うことも容易であり、包装袋３内に封入された美容液を無駄なく使用できる利点もある。
【００２３】
トレー２は、長方形状の底壁１６と、底壁１６の四周縁から上向きに延設される周囲壁１７とを備え、上開口を有する横長の四角箱状に形成されており、シート巻回体４が、周囲壁１７で囲まれるトレー２の収容室１８内に収容される形態を採ることが好ましい。つまり、本発明では、シート巻回体４をスティック状としているため、かかるシート巻回体４の形状に合わせて、トレー２は上開口を有する横長の四角形状として、収納室１８内にスティック状のシート巻回体４が収容されるようにすることが好ましい。また、トレー２に上開口を設けていると、該上開口を介して収納室１８内へシート巻回体４を落とし込むだけで、収納室１８に対するシート巻回体４の収容作業を進めることができる。また、フェイスパックシート１の使用時には、包装袋３からトレー２ごとシート巻回体４を取り出したのちに、上開口からシート巻回体４を摘み上げるだけで、トレー２からシート巻回体４を取り出すことができる。
【００２４】
収容室１８の高さ寸法Ｈは、シート巻回体４の直径寸法Ｄの３０％以上、１２０％以下に設定することが好ましい。収容室１８の高さ寸法Ｈがシート巻回体４の直径寸法Ｄの３０％未満であると、収納室１８の収納能力が小さくなりすぎ、シート巻回体４から漏れ出た美容液を受止めることが困難となる。また、収容室１８の高さ寸法Ｈが直径寸法Ｄの１２０％を超えると、いたずらにトレー２が大型化し、シート巻回体４が取り出し難くなるなど利便性も損なわれることになる。これに対して、収容室１８の高さ寸法Ｈが、シート巻回体４の直径寸法Ｄの３０％以上、１２０％以下に設定されていると、トレー２が無用に大型化することを抑えて、嵩張らずコンパクトであり優れた携帯性を備えるパックシート包装体を得ることができる。また、優れた携帯性を備えながらもシート巻回体４の取り出しを容易に行える、パックシート包装体を得ることができる。
【００２５】
トレー２の断面形状が、向かい合う周囲壁１７どうしの対向間隔寸法が上方に行くに従って漸次大きくなる上拡がり状に形成されていると、上開口を介した収納室１８内へのシート巻回体４の収容作業がより容易となる。また、上開口を介したシート巻回体４を取り出し作業もより容易となる。
【００２６】
フェイスパックシート１を、展開状態で扁平円形状に形成し、シート巻回体４を、扁平円形状のフェイスパックシート１を折り畳むことで得られた重畳部分を巻き始端にしてスティック状に巻回してなるものとすることができる。このように、重畳部分を巻き始端にして巻回すると、巻回時の芯になる部分が少なくとも２重になるため、織布や不織布などからなるフェイスパックシート１の腰を強くして、フェイスパックシート１を安定した状態で巻回することができる。従って、巻回途中のフェイスパックシート１が、巻回方向に対して不用意に傾いたり蛇行したりすることを効果的に防止して、巻き姿が美麗なスティック状のシート巻回体４を成形できる。また、展開状態から巻き始める形態に比べて、少ない巻き込み回数でフェイスパックシート１をシート巻回体４に成形でき、さらに、使用時にシート巻回体４を素早く展開できる利点もある。
【００２７】
本発明に係るパックシート包装体の製造方法では、液供給工程Ｐ６において、トレー２内にシート巻回体４を収容した状態で、美容液の含浸処理を進めることができる。これにより、従来のパックシート包装体では不可避であった、含浸処理のための待機時間を省いて、迅速に包装処理を進めることができるため、パックシート包装体の生産性の向上を図ることができる。また、トレー２で美容液が受け止められる状態としながら、シート巻回体４に対する美容液の供給作業を進めることができるので、美容液が周囲に飛散、或いは流出することを防ぐこともできる。従って、スティック状のシート巻回体４の成形から、美容液の供給および含浸を経て、シート巻回体４の個包装に至る一連の処理を、美容液の無駄がなく効率よく時間を短縮して行うことができ、従って、パックシート包装体をより低コスト短時間で製造できる。
【００２８】
液含浸工程Ｐ３においてパックシート１に所定量の美容液を含浸させると、美容液によってフェイスパックシート１が形状を保持し易くなるため、腰を強くした状態で次の成形工程Ｐ４を行うことができるので、フェイスパックシート１を安定した状態で巻回することができる。従って、巻回途中のフェイスパックシート１が、巻回方向に対して不用意に傾いたり蛇行したりすることを効果的に防止して、巻き姿が美麗なスティック状のシート巻回体４を成形できる。また、美容液が含浸されたシート巻回体４は、美容液によって巻き終端部分などのシート端部が巻回部分に張り付いた状態となって、巻回が解け難くその巻き姿が保持されるので、トレー２の収容室１８へのシート巻回体４の収容を容易に行うことができる。
【図面の簡単な説明】
【００２９】
【図１】本発明に係るパックシート包装体を構成するフェイスパックシートと、フェイスパックシートを包装袋内に包装した状態を示す図である。
【図２】図１におけるＡ−Ａ線断面図である。
【図３】フェイスパックシートをシート巻回体に成形する手順を示す正面図である。
【図４】図３におけるＢ−Ｂ線断面図である。
【図５】トレーの平面図である。
【図６】パックシート包装体の製造工程を示す説明図である。
【図７】成形工程を示す説明図である。
【図８】フェイスパックシートをシート巻回体に成形する手順の別の実施例を示す正面図である。
【図９】フェイスパックシートをシート巻回体に成形する手順のさらに別の実施例を示す正面図である。
【発明を実施するための形態】
【００３０】
（実施例）  図１から図７に、本発明に係るパックシート包装体の実施例を示す。図１および図２に示すように、パックシート包装体は、フェイスパックシート１と、フェイスパックシート１を収容するトレー２と、これら１・２を密封包装する細筒状の包装袋３などで構成されている。フェイスパックシート１は、渦巻状に巻回してなるスティック状のシート巻回体４に成形されており、美容液を含浸させた状態でトレー２に収容されている。なお、本実施例におけるフェイスパックシート１の上下、左右とは、図３に示す交差矢印と、各矢印の近傍に表記した上下、左右の表示に従う。
【００３１】
図１に示すように展開状態のフェイスパックシート１は、不織布を素材として外形形状が扁平円形状に打ち抜き形成されており、そのシート面には、人の目、鼻、口に対応する開口７・８・９が形成されている。詳しくは、フェイスパックシート１は、上下で曲率が異なる楕円形状であり、左右方向の中央を対称軸とした線対称状に形成されている。シート面の略中心に、横臥コ字状の切込みを設けて、人の鼻に対応する開口８を形成している。鼻に対応する開口８の下方には、人の口に対応する横長楕円状の開口９を形成し、上方の左右には、人の目に対応する横長楕円状の開口７・７を形成している。また、上半左右と下半左右のシート周縁には、シート面を顔肌に密着させるための直線状の切込み１０が計４本形成されている。なお、本実施例におけるフェイスパックシート１の上下寸法は２１０ｍｍであり、左右寸法は２３０ｍｍである。
【００３２】
図３に示すように、展開状態のフェイスパックシート１は、まず、左右方向中央の折り線１１で、右半部を左半部へ向かって二つ折りに折り曲げる（図３（ａ））。次いで二つ折りにされたフェイスパックシート１の上側部を、上下方向中途部の折り線１２で、背面側に折り曲げて四つ折状にし（図３（ｂ））、さらに折り曲げ縁である屈曲縁１３（重畳部分）を巻き始端にして渦巻状に巻回する。（図３（ｃ））。これにより、シート巻回体４は、スティック状のシート巻回体４に成形される（図３（ｄ））。なお、折り線１２は、二つ折りにされたフェイスパックシート１の上下方向中央よりも僅かに上側に偏寄させてある。このように、折り線１２は、上下方向中央である必要はない。本実施例におけるシート巻回体４は直径寸法Ｄが約１６ｍｍであり、その長さ寸法が１１５ｍｍである。
【００３３】
上記のように、屈曲縁１３を巻き始端にしてフェイスパックシート１を巻回すると、巻回時の芯になる部分が４重になるため、不織布からなるフェイスパックシート１の腰を強くして、フェイスパックシート１を安定した状態で巻回することができる。従って、巻回途中のフェイスパックシート１が、巻回方向に対して不用意に傾いたり蛇行したりすることを効果的に防止して、巻き姿が美麗なスティック状のシート巻回体４を成形できる。また、展開状態から巻き始める形態に比べて、少ない巻き込み回数でフェイスパックシート１をシート巻回体４に成形でき、さらに、使用時にシート巻回体４を素早く展開できる。
【００３４】
上記の折り線１２は、二つ折りにされたフェイスパックシート１の左右幅方向の最大幅寸法をＷ１とし、屈曲縁１３の幅方向寸法をＷ２としたとき、幅方向寸法Ｗ２が左右幅方向の最大幅寸法Ｗ１の５０％以上を有する位置に設定することが好ましい。これは、巻回時の芯になる屈曲縁１３が少なくとも幅方向の半分以上ある状態で巻き込むことができるので、フェイスパックシート１を確りと巻回できる。屈曲縁１３の幅方向寸法Ｗ２は、左右幅方向の最大幅寸法Ｗ１の７０％以上に設定することがより好ましく、さらに好ましくは左右幅方向の最大幅寸法Ｗ１の９０％以上に設定することが好ましい。本実施例では、屈曲縁１３の幅方向寸法Ｗ２を、最大幅寸法Ｗ１の９５％とした。
【００３５】
シート巻回体４をスティック状としているため、かかるシート巻回体４の形状に合わせて、トレー２は上開口を有する横長の四角形状として、トレー２内にスティック状のシート巻回体４が収容されるようにすることが好ましい。詳しくは、トレー２は、四隅が丸められた長方形状の底壁１６と、底壁１６の四周縁から上向きに延設される周囲壁１７とで上開口を有する横長の四角箱状に形成されており、その内部に収容室１８が形成されたプラスチック成形品である。シート巻回体４は、周囲壁１７で囲まれる収容室１８に収容される。本実施例では、収容室１８の上開口の短手方向の寸法は３０ｍｍであり、長手方向の寸法は１２５ｍｍであり、シート巻回体４よりも一回り大きく形成した。
【００３６】
上記のように、トレー２に上開口を設けていると、該上開口を介して収納室１８内へシート巻回体４を落とし込むだけで、収納室１８に対するシート巻回体４の収容作業を進めることができる。フェイスパックシート１の使用時には、包装袋３からトレー２ごとシート巻回体４を取り出したのちに、上開口からシート巻回体４を摘み上げるだけで、トレー２からシート巻回体４を取り出すことができる。また、トレー２の断面形状を、向かい合う周囲壁１７どうしの対向間隔寸法が上方に行くに従って漸次大きくなる上拡がり状に形成すると、上開口を介した収納室１８内へのシート巻回体４の収容作業、および上開口を介したシート巻回体４を取り出し作業をより容易に行うことができる。
【００３７】
周囲壁１７の上縁には、周囲壁１７を補強するための補強枠壁１９が、水平方向外向きに張り出している。また、周囲壁１７の上端から底壁１６の周縁寄りにわたって一群の補強リブ２０が、内向きに膨出形成されている。このように、トレー２に、補強枠壁１９や一群の補強リブ２０を形成すると、底壁１６および周囲壁１７の厚み寸法を薄くした場合でも、トレー２の剛性を向上して変形し難くでき、包装袋３の開封後、トレー２の端部を指で引き出す際に、スムーズにトレー２ごとシート巻回体４を取り出すことができる。なお、底壁１６には補強構造を別途形成することもできる。
【００３８】
トレー２の高さ寸法Ｈはシート巻回体４の直径寸法Ｄを基準に設定されており、高さ寸法Ｈは、直径寸法Ｄの３０％以上、１２０％以下に設定することが好ましい。これは、収容室１８の高さ寸法Ｈがシート巻回体４の直径寸法Ｄの３０％未満であると、収納室１８の収納能力が小さくなりすぎ、シート巻回体４から漏れ出た美容液を受止めることが困難となる。また、収容室１８の高さ寸法Ｈが直径寸法Ｄの１２０％を超えると、いたずらにトレー２が大型化し、シート巻回体４が取り出し難くなるなど利便性も損なわれることになる。従って、収容室１８の高さ寸法Ｈを、シート巻回体４の直径寸法Ｄの３０％以上、１２０％以下に設定することにより、トレー２が無用に大型化することを抑えて、嵩張らずコンパクトであり優れた携帯性を備えるパックシート包装体を得ることができる。また、優れた携帯性を備えながらもシート巻回体４の取り出しを容易に行える、パックシート包装体を得ることができる。本実施例においては、収容室１８の高さ寸法Ｈを約８ｍｍ（直径寸法Ｄの５０％）に設定した。
【００３９】
包装袋３は、例えば、ポリプロピレン延伸フィルムと未延伸ポリプロピレンフィルムをラミネートした複合フィルム、あるいはアルミニウム箔の片面にポリエチレンフィルム、またはポリプロピレンフィルムをラミネートしたフィルム複合体などで通気不能な袋として形成することができる。ＰＥＴ・ＣＰＰ系の機能フィルムを用いることもできる。包装袋３は、底面側に位置し長手方向に伸びるセンターシール２３と、左右両端のサイドシール２４・２４で３方がシールされてピロー包装状に密封されている。シール部２４に臨む袋端は、連続山形状の切欠縁２５を形成して、包装袋３を長手方向に引き裂き開封する際の開裂動作を容易に行えるようにしている。連続山形状の切欠き縁２５に代えて、ＶノッチやＩノッチであっても良く、さらに包装袋３の素材としてイージーカットフィルムを用いても良い。
【００４０】
パックシート包装体は、図６に示す各工程を経て製造する。
（打ち抜き工程Ｐ１）この工程では、原反ロール３０から連続して供給される不織布性のシート素材３１からロールカッタ３２を用いてフェイスパックシート１を打ち抜く。このとき、フェイスパックシート１の上下方向が、シート素材３１の搬送方向に沿うように打ち抜かれ、同時に目、鼻、口に対応する開口７・８・９、および切込み１０が形成される。打ち抜き後のシート素材は、回収ローラ３３に巻き取られて回収され、打ち抜かれたフェイスパックシート１は水平方向に走る第１コンベアＣ１で折り曲げ工程Ｐ２へと移送される。
【００４１】
（折り曲げ工程Ｐ２）この工程では、フェイスパックシート１の搬送方向と平行な、左右方向中央の折り線１１で、右半部を左半部へ向かって二つ折りに折り曲げる。これにより、フェイスパックシート１はその外形形状が半楕円状に二つ折り状に折り曲げられる。
【００４２】
（液含浸工程Ｐ３）この工程では、二つ折状のフェイスパックシート１に所定量の美容液を第１供給ノズル３４で含浸させる。この工程で含浸させる美容液の量は、後段の成形工程Ｐ４において、フェイスパックシート１を巻回する際でも美容液が分離しない程度であり、美容液は二つ折状のフェイスパックシート１の全体に満遍なく含浸される。こののちフェイスパックシート１は、第１コンベアＣ１の終端に設けた垂直方向に走る第２コンベアＣ２で成形工程Ｐ４へと移送される。
【００４３】
上記のように、液含浸工程Ｐ３においてパックシート１に所定量の美容液を含浸させると、美容液によってフェイスパックシート１が形状を保持し易くなるため、腰を強くした状態で次の成形工程Ｐ４を行うことができるので、フェイスパックシート１を安定した状態で巻回することができる。これにより、巻回途中のフェイスパックシート１が、巻回方向に対して不用意に傾いたり蛇行したりすることを効果的に防止して、巻き姿が美麗なスティック状のシート巻回体４を成形できる。
【００４４】
（成形工程Ｐ４）この工程では、成形装置３５により、二つ折状に折り曲げられ所定量の美容液が含浸されたフェイスパックシート１を、該フェイスパックシート１の搬送方向に直交する上下方向中途部の折り線１２に沿って折り曲げ、折り曲げ縁である屈曲縁１３を巻き始端にして渦巻状に巻回してスティック状のシート巻回体４に成形する。成形装置３５は、上下に対向配置されて巻き込み通路３６を形成する上回転ベルト３７、および下回転ベルト３８と、巻き込み通路３６の入口３９にフェイスパックシート１を挿入する挿入板４０を備えている。挿入板４０は入口３９に臨むように水平状に配置されており、入口３９に向かって出退駆動される。巻き込み通路３６は入口３９から出口４１に向かって、その通路幅が徐々に大きくように配置されている。
【００４５】
上下の回転ベルト３７・３８は、ベルトコンベア状に構成されており、同一方向に回転駆動されている。このように、上下の回転ベルト３７・３８を同一方向に回転駆動することにより、フェイスパックシート１を図６に向かって時計方向に回転させながら渦巻状に巻回できる。なお、上下の回転ベルト３７・３８の巻き込み通路３６部分の走行速度は、上回転ベルト３７の方が高くなるように設定されている。これは、フェイスパックシート１を巻回しながら下流側の出口４１に向かって移動させるためである。因みに、巻き込み通路３６部分の走行速度が上下の回転ベルト３７・３８で同一であると、フェイスパックシート１は入口３９部分で巻き込まれるだけであり、出口４１へと移動されない。
【００４６】
図７に示すように、第２コンベアＣ２で搬送されてきたフェイスパックシート１の折り線１２の位置が、巻き込み通路３６の入口３９に臨む位置に来たとき、挿入板４０が水平方向に進出駆動されてフェイスパックシート１を入口３９に挿入する。これにより、フェイスパックシート１は、折り線１１で二つ折状にされ、さらに折り線１２で四つ折状にされた状態で、巻き込み通路３６に挿入される。次いで、フェイスパックシート１は、挿入された折り曲げ縁である屈曲縁１３（重畳部分）を芯にして、時計方向に回転して渦巻状に巻回されながら下流側へと移動されスティック状のシート巻回体４に成形される。シート巻回体４は、出口４１から排出され収容工程Ｐ５へと移送される。
【００４７】
上記のように、シート巻回体４を、扁平円形状のフェイスパックシート１を折り畳むことで得られた屈曲縁１３を巻き始端にして巻回すると、巻回時の芯になる部分が４重になるため、不織布からなるフェイスパックシート１の腰を強くして、フェイスパックシート１を安定した状態で巻回することができる。従って、巻回途中のフェイスパックシート１が、巻回方向に対して不用意に傾いたり蛇行したりすることを効果的に防止して、巻き姿が美麗なスティック状のシート巻回体４を成形できる。
【００４８】
（収容工程Ｐ５）この工程では、成形装置３５で成形されたスティック状のシート巻回体４を、トレー２の収容室１８に収容する。本実施例では、巻き込み通路３６の出口４１から排出されたシート巻回体４をトレー２で受止め、シート巻回体４が収容室１８に収容されるようにした。このとき、美容液が含浸されたシート巻回体４は、美容液によって巻き終端部分などのシート端部が巻回部分に張り付いた状態となって、巻回が解け難くその巻き姿が保持されるので、トレー２の収容室１８へのシート巻回体４の収容を容易に行うことができる。トレー２に収容されたシート巻回体４は、水平方向に走る第３コンベアＣ３、および第３コンベアＣ３と直交する第４コンベアＣ４で液供給工程Ｐ６へと移送される。
【００４９】
（液供給工程Ｐ６）この工程では、トレー２に収容されたシート巻回体４に美容液を供給する。美容液は短時間で多量の美容液を供給できる第２供給ノズル４２で行い、先の液含浸工程Ｐ３で含浸させた美容液と、液供給工程Ｐ６で供給する美容液との総量が、製品となるパックシート包装体に含浸される美容液の規定量になるよう美容液を供給する。供給時にシート巻回体４に含浸されなかった美容液はトレー２の収容室１８の底に溜まり、第４コンベアＣ４で包装工程Ｐ７に移送される間、および包装工程Ｐ７中にシート巻回体４に徐々に含浸される。
【００５０】
上記のように、本発明に係るパックシート包装体の製造方法では、液供給工程Ｐ６において、トレー２内にシート巻回体４を収容した状態で、美容液の含浸処理を進めることができるので、従来のパックシート包装体では不可避であった、含浸処理のための待機時間を省いて、迅速に包装処理を進めることができるため、パックシート包装体の生産性の向上を図ることができる。また、トレー２で美容液が受け止められる状態としながら、シート巻回体４に対する美容液の供給作業を進めることができるので、美容液が周囲に飛散、或いは無駄に流出することを防ぐこともできる。従って、スティック状のシート巻回体４の成形から、美容液の供給および含浸を経て、シート巻回体４の個包装に至る一連の処理を、美容液の無駄がなく時間を短縮して効率よく行うことができ、従って、パックシート包装体をより低コスト短時間で製造できる。
【００５１】
（包装工程Ｐ７）この工程では、シート巻回体４が収容されたトレー２を、包装袋３内に密封包装する。包装は、公知の連続式ピロー包装機を用いて行い、これにより、美容液を含浸させたスティック状のシート巻回体４とトレー２を包装袋３に密封包装して、パックシート包装体を完成できる。本実施例のパックシート包装体では、シート巻回体４がトレー２内に収容された状態で包装袋３内に密封包装するため、シート巻回体４の巻き終端が、包装袋のシール部分に噛み込まれ難く、シール不良の発生を抑えて、信頼性に優れたパックシート包装体を得ることができる。つまり、従来のパックシート包装体では、シート巻回体４の巻き終端が、巻回体４から浮き離れていると、シート巻回体４の姿勢状態によっては、巻き終端がシール部分に噛み込まれて、シール不良を招くおそれがあった。これに対して、本実施例では、トレー２内にシート巻回体４が収容された状態で包装処理を行うため、巻き始端がシール部分に噛み込まれ難く、シール不良の発生を抑えて、パックシート包装体の信頼性向上に貢献できる。
【００５２】
本実施例のパックシート包装体を使用して、顔肌のスキンケアを行う場合には、まず、包装袋３の長手方向の端部を切り取り、あるいは包装袋３を長手方向に引き裂き開封して、トレー２ごとシート巻回体４を包装袋３から取り出す。このとき、包装袋３を開封して取り出したシート巻回体４を、トレー２ごと化粧台等の机上に置くことができるので、シート巻回体４を机上に安定的に載置でき、シート巻回体４から漏れ出た美容液により、化粧台等が不用意に汚損されることを防止できる。包装袋３を介して、机上にトレー２ごとシート巻回体４を載置しても良く、この場合にも机上にシート巻回体４を安定的に載置できる。続いて、シート巻回体４をトレー２から取り出したうえで、シート巻回体４を展開し、展開状態のパックシート１を顔肌に密着させる。さらに、トレー２からシート巻回体４を取り出したのちも、シート巻回体４から分離した美容液が、トレー２内に留められている場合、残った美容液を手の甲などに塗布してスキンケアを行うこともできる。これにより、包装袋３内に封入された美容液を無駄なく使用できる。
【００５３】
以上のように、本実施例のパックシート包装体においては、シート巻回体４をトレー２内に収容して包装袋３内に密封包装したので、シート巻回体４から漏れ出た美容液が包装袋３のシール部分に付着することに由来するシール不良の問題を一掃でき、より多量の美容液をシール巻回体４に含浸させることができる。つまり、本実施例によれば、シール処理時にシート巻回体４から美容液が漏れ出た場合でも、漏れ出た美容液はトレー２で受け止められるため、シール不良の問題が生じることは無く、シート巻回体４の含浸能力や液保持能力を超えて、より多量の美容液をシート巻回体４であるフェイスパックシート１に付与することができる。以上より、より多量の美容液が含浸され、機能と品質の向上が図られたフェイスパックシート１を提供できる。より多量の美容液が含浸されており、使用感と満足感に富んだフェイスパックシート１を提供できる利点もある。
【００５４】
また、シート巻回体４が包装袋３の内面に接触する機会を該トレー２により少なくできるので、包装袋３を開封してシート巻回体４を取り出す際に、美容液が含浸されたシート巻回体４が包装袋３の内面に張り付くことを効果的に防いで、より簡便にかつ巻回形状を保持したまま包装袋３からシート巻回体４を取り出すことが可能となる。また、包装袋３の開封後は、トレー２の端部を指で引き出すだけで、トレー２ごとシート巻回体４を取り出すことができるので、この点でもより簡便に包装袋３からシート巻回体４を取り出すことができる。また、万一包装袋３からトレー２を取り出した後、何らかの理由により直ぐに使用できず一時的に保管したい場合には、トレー２ごとシート巻回体４を包装袋３内に一時的に戻すことも容易に行える。以上より、美容液が含浸されたシート巻回体４を、簡便に包装袋３から取り出すことができ、実用利便性に優れたパックシート包装体を得ることができる。
【００５５】
美容液が含浸されたシート巻回体４が、トレー２に収容した状態で包装袋３内に包装されていると、コンパクト化を目的として包装袋３の外形寸法を小さくした場合でも、包装袋３の内面に美容液が含浸されたシート巻回体４が張り付くことを、トレー２により確実に抑えることができる。以上より、嵩張らずコンパクトであり優れた携帯性を備えるものでありながら、シート巻回体４の取り出し性に優れたパックシート包装体を得ることができる。
【００５６】
また、例えば携帯時に包装袋３越しにシート巻回体４が圧迫され、美容液がシート巻回体４から搾り出されて分離された場合でも、分離された美容液はトレー２で受け止められ、トレー２内に留められる。また、トレー２内で分離した美容液とシート巻回体４とを確実に接触させることができるため、美容液をシート巻回体４に再び含浸させ、保持させることができる。以上より、無駄に多量の美容液をパックシート包装体に供給する必要がなくなり、製造コストの上昇を効果的に抑えることができる。
【００５７】
図８にフェイスパックシート１をシート巻回体４に成形する手順の別の実施例を示す。そこでは、まず、左右の折り線４５部分でフェイスパックシート１の左右部分を中央に向かってＣ字状に折り曲げた。このとき、折り曲げたパックシート１の左右端は対向している。次いで、フェイスパックシート１を折り線１２で折り曲げ、さらに屈曲縁１３を巻き始端にして渦巻状に巻回して、スティック状のシート巻回体４を得た。このように、Ｃ字状に折り曲げたフェイスパックシート１では、屈曲縁１３の幅寸法Ｗ２がフェイスパックシート１の長手方向のほぼ全体で、最大幅寸法Ｗ１と一致している。従って、折り線１２の設定位置の自由度を向上できる。他は、先の実施例と同じであるので、同じ部材に同じ符号を付してその説明を省略する。以下の実施例においても同じとする。
【００５８】
図９にフェイスパックシート１をシート巻回体４に成形する手順のさらに別の実施例を示す。そこでは、まず、上下の折り線４６部分でフェイスパックシート１の上側部分を中央に向かって山折りにし、下側部分を中央に向かって谷折りにして、Ｚ字状に折り曲げた。このとき、折り曲げたパックシート１の上下端は重畳している。次いで、フェイスパックシート１を折り線１２で折り曲げ、さらに屈曲縁１３を巻き始端にして渦巻状に巻回して、スティック状のシート巻回体４を得た。このように、上下端が重畳するようにＺ字状に折り曲げることにより、屈曲縁１３の幅寸法Ｗ２を小さくして、よりコンパクトなシート巻回体４とすることができる。
【００５９】
上記の実施例以外に、トレー２の底壁１６の断面形状を下凸湾曲状に形成して、トレー２を逆かまぼこ状に形成することができる。補強枠壁１９および補強リブ２０を省いた状態でトレー２を形成することができる。打ち抜き工程Ｐ１において、シート素材３１にトムソン加工を施してフェイスパックシート１を打ち抜くことができる。また、フェイスパックシート１の左右方向が、シート素材３１の搬送方向に沿うように打ち抜いてもよい。この場合には、折り畳み工程までの間に、打ち抜いたフェイスパックシート１を９０度回転させる工程を追加する。成形装置３５を構成する下回転ベルト３８に替えて、上回転ベルト３７と向かい合う板状の対向板体を配置してもよい。この場合でも、上回転ベルト３７により、フェイスパックシート１は巻回されなから、下流側へ移動される。収容工程Ｐ５においては、公知の移載装置を用いて、巻き込み通路３６の出口４１から排出されたシート巻回体４をトレー２に収容してもよい。包装袋３は３周縁をシールして、トレー２およびシート巻回体４を密封包装するものであってもよい。
【符号の説明】
【００６０】
１  フェイスパックシート
２  トレー
３  包装袋
４  シート巻回体
７  開口
８  開口
９  開口
１１  折り線
１２  折り線
１３  屈曲縁
１６  底壁
１７  周囲壁
１８  収容室
２０  補強リブ
３０  原反ロール
３１  シート素材
Ｈ  収容室の高さ寸法
Ｄ  シート巻回体の直径寸法
【図１】
2017052532.tif 000003
【図２】
2017052532.tif 000004
【図３】
2017052532.tif 000005
【図４】
2017052532.tif 000006
【図５】
2017052532.tif 000007
【図６】
2017052532.tif 000008
【図７】
2017052532.tif 000009
【図８】
2017052532.tif 000010
【図９】
2017052532.tif 000011
【手続補正書】
【提出日】平成28年10月31日(2016.10.31)
【手続補正１】
【補正対象書類名】明細書
【補正対象項目名】０００９
【補正方法】変更
【補正の内容】
【０００９】
本発明のパックシート包装体は、フェイスパックシート１を渦巻状に巻回してなるスティック状のシート巻回体４と、該シート巻回体４に含浸された美容液と、該シート巻回体４を密封包装する包装袋３とを備える。そして、美容液が含浸されたシート巻回体４が、有底容器状のトレー２内に収容された状態で、該トレー２と共に、包装袋３内に密封包装されている。包装袋３越しにシート巻回体４は圧迫され、美容液がシート巻回体４から絞り出されて分離された場合でも、分離された美容液はトレー２で受け止められて、トレー２内に留められるようになっている。そして、フェイスパックシート１の使用に際しては、包装袋３を開封したうえで、トレー２を包装袋３から引き出すことで、該トレー２ごと美容液が含浸されたシート巻回体４を包装袋３から取り出すことができるように構成されていることを特徴とする。
【手続補正２】
【補正対象書類名】明細書
【補正対象項目名】００１４
【補正方法】変更
【補正の内容】
【００１４】
また、本発明は、美容液が含浸されたシート巻回体４が、有底容器状のトレー２内に収容された状態で、該トレー２と共に、包装袋３内に密封包装されており、包装袋３越しにシート巻回体４が圧迫され、美容液がシート巻回体４から絞り出されて分離された場合でも、分離された美容液はトレー２で受け止められて、トレー２内に留められるようになっており、フェイスパックシート１の使用に際しては、包装袋３を開封したうえで、トレー２を包装袋３から引き出すことで、該トレー２ごと美容液が含浸されたシート巻回体４を包装袋３から取り出すことができるように構成されているパックシート包装体の製造方法を対象とする。原反ロール３０から連続して供給されるシート素材３１からフェイスパックシート１を打ち抜き形成する打ち抜き工程Ｐ１と、得られたフェイスパックシート１を、折り畳んで重畳部分を形成する折り畳み工程Ｐ２と、折り畳み工程Ｐ２で得られた重畳部分を巻き始端にして、フェイスパックシート１を渦巻状に巻回してスティック状のシート巻回体４に成形する成形工程Ｐ４と、シート巻回体４をトレー２の収容室１８に収容する収容工程Ｐ５と、トレー２の収容室１８に収容されたシート巻回体４に対して規定量の美容液を供給する液供給工程Ｐ６と、シート巻回体４が収容されたトレー２を、包装袋３内に密封包装する包装工程Ｐ７と、成形工程に先行して、フェイスパックシート１に所定量の美容液を含浸させる液含浸工程Ｐ３とを含むことを特徴とする。
【手続補正３】
【補正対象書類名】明細書
【補正対象項目名】００１５
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
フェイスパックシート（１）を渦巻状に巻回してなるスティック状のシート巻回体（４）と、該シート巻回体（４）に含浸された美容液と、該シート巻回体（４）を密封包装する包装袋（３）とを備えるパックシート包装体であって、
美容液が含浸されたシート巻回体（４）が、有底容器状のトレー（２）内に収容された状態で、該トレー（２）と共に、包装袋（３）内に密封包装されており、
包装袋（３）越しにシート巻回体（４）が圧迫され、美容液がシート巻回体（４）から絞り出されて分離された場合でも、分離された美容液はトレー（２）で受け止められて、トレー（２）内に留められるようになっており、
フェイスパックシート（１）の使用に際しては、包装袋（３）を開封したうえで、トレー（２）を包装袋（３）から引き出すことで、該トレー（２）ごと美容液が含浸されたシート巻回体（４）を包装袋（３）から取り出すことができるように構成されていることを特徴とするパックシート包装体。
【請求項２】
前記トレー（２）は、長方形状の底壁（１６）と、底壁（１６）の四周縁から上向きに延設される周囲壁（１７）とを備え、上開口を有する横長の四角箱状に形成されており、
シート巻回体（４）が、周囲壁（１７）で囲まれるトレー（２）の収容室（１８）内に収容されている請求項１に記載のパックシート包装体。
【請求項３】
収容室（１８）の高さ寸法（Ｈ）が、シート巻回体（４）の直径寸法（Ｄ）の３０％以上、１２０％以下に設定されている請求項２に記載のパックシート包装体。
【請求項４】
前記トレー（２）の断面形状が、向かい合う周囲壁（１７）どうしの対向間隔寸法が上方に行くに従って漸次大きくなる上拡がり状に形成されている、請求項２又は３に記載のパックシート包装体。
【請求項５】
フェイスパックシート（１）が、展開状態で扁平円形状に形成されており、
シート巻回体（４）が、扁平円形状のフェイスパックシート（１）を折り畳むことで得られた重畳部分を巻き始端にして、スティック状に巻回してなるものである請求項１から４のいずれかひとつに記載のパックシート包装体。
【請求項６】
美容液が含浸されたシート巻回体（４）が、有底容器状のトレー（２）内に収容された状態で、該トレー（２）と共に、包装袋（３）内に密封包装されており、
包装袋（３）越しにシート巻回体（４）が圧迫され、美容液がシート巻回体（４）から絞り出されて分離された場合でも、分離された美容液はトレー（２）で受け止められて、トレー（２）内に留められるようになっており、
フェイスパックシート（１）の使用に際しては、包装袋（３）を開封したうえで、トレー（２）を包装袋（３）から引き出すことで、該トレー（２）ごと美容液が含浸されたシート巻回体（４）を包装袋（３）から取り出すことができるように構成されているパックシート包装体の製造方法であって、
原反ロール（３０）から連続して供給されるシート素材（３１）からフェイスパックシート（１）を打ち抜き形成する打ち抜き工程と、
得られたフェイスパックシート（１）を、折り畳んで重畳部分を形成する折り畳み工程と、
折り畳み工程で得られた重畳部分を巻き始端にして、フェイスパックシート（１）を渦巻状に巻回してスティック状のシート巻回体（４）に成形する成形工程と、
シート巻回体（４）を、トレー（２）の収容室（１８）に収容する収容工程と、
トレー（２）の収容室（１８）に収容されたシート巻回体（４）に対して規定量の美容液を供給する液供給工程と、
シート巻回体（４）が収容されたトレー（２）を、包装袋（３）内に密封包装する包装工程と、
成形工程に先行して、フェイスパックシート（１）に所定量の美容液を含浸させる液含浸工程と、
を含むことを特徴とするパックシート包装体の製造方法。